(57)【要約】【課題】共通経費を含む開発費用の勘定科目を開発テーマ毎に振り替える振替仕訳を作成することができる会計システム、情報処理方法、及びプログラムを提供することを課題とする。【解決手段】会計システムであって、開発テーマ毎に計上されているテーマ別経費と開発テーマ毎に計上されていない共通経費とを含む開発費を取得する開発費取得手段と、前記開発テーマ毎の工数を取得する工数取得手段と、前記開発テーマ毎の工数に基づき、前記共通経費を開発テーマ毎に算出する算出手段と、前記テーマ別経費の勘定科目と前記算出した開発テーマ毎の共通経費の勘定科目とを所定の勘定科目に振り替える振替仕訳を作成する振替仕訳作成手段と、を有することにより、上記課題を解決する。【選択図】  図３
2015103175.tif 000002
【特許請求の範囲】
【請求項１】
会計システムであって、
開発テーマ毎に計上されているテーマ別経費と開発テーマ毎に計上されていない共通経費とを含む開発費を取得する開発費取得手段と、
前記開発テーマ毎の工数を取得する工数取得手段と、
前記開発テーマ毎の工数に基づき、前記共通経費を開発テーマ毎に算出する算出手段と、
前記テーマ別経費の勘定科目と前記算出した開発テーマ毎の共通経費の勘定科目とを所定の勘定科目に振り替える振替仕訳を作成する振替仕訳作成手段と、
を有する会計システム。
【請求項２】
前記開発テーマにおける開発工程が設計工程であるか否かを判定する判定手段を有し、
前記開発費取得手段は、
前記判定手段において前記設計工程であると判定された開発テーマにおける前記開発費を取得する、請求項１記載の会計システム。
【請求項３】
前記算出手段は、前記共通経費に、前記開発テーマ毎の工数の合計に対する前記開発テーマ毎の工数の比率を乗じて算出する、請求項１又は２記載の会計システム。
【請求項４】
前記共通経費は、人件費を含む複数の経費を有し、
前記算出手段は、前記複数の経費に対し前記開発テーマ毎に費用を算出する、請求項１ないし３いずれか１項に記載に会計システム。
【請求項５】
前記振替仕訳作成手段は、前記テーマ別経費の勘定科目と前記算出した開発テーマ毎の共通経費の勘定科目とを建設仮勘定科目に振り替える振替仕訳を作成する、請求項１ないし４いずれか１項に記載の会計システム。
【請求項６】
会計システムにおける情報処理方法であって、
開発テーマ毎に計上されているテーマ別経費と開発テーマ毎に計上されていない共通経費とを含む開発費を取得する開発費取得手順と、
前記開発テーマ毎の工数を取得する工数取得手順と、
前記開発テーマ毎の工数に基づき、前記共通経費を開発テーマ毎に算出する算出手順と、
前記テーマ別経費の勘定科目と前記算出した開発テーマ毎の共通経費の勘定科目とを所定の勘定科目に振り替える振替仕訳を作成する振替仕訳作成手順と、
を有する情報処理方法。
【請求項７】
勘定科目の振替仕訳を作成するプログラムであって、
開発テーマ毎に計上されているテーマ別経費と開発テーマ毎に計上されていない共通経費とを含む開発費を取得する開発費取得手順、
前記開発テーマ毎の工数を取得する工数取得手順、
前記開発テーマ毎の工数に基づき、前記共通経費を開発テーマ毎に算出する算出手順、
前記テーマ別経費の勘定科目と前記算出した開発テーマ毎の共通経費の勘定科目とを所定の勘定科目に振り替える振替仕訳を作成する振替仕訳作成手順、
をコンピュータに実行させるためのプログラム。
【発明の詳細な説明】
【技術分野】
【０００１】
本発明は、会計システム、情報処理方法、及びプログラムに関する。
【背景技術】
【０００２】
ソフトウェア開発などに要した開発費用について、固定資産として算出し、計上する技術が従来から知られている（例えば特許文献１参照）。
【発明の概要】
【発明が解決しようとする課題】
【０００３】
しかしながら、上記の従来技術においては、開発費用に含まれる例えば人件費などの共通経費を開発テーマ毎に按分して固定資産として計上することができなかった。一方、国際財務報告基準によれば、開発テーマ毎に共通経費を算出し、固定資産として計上する必要がある。
【０００４】
本発明の一実施形態は、上記の点に鑑みてなされたものであり、共通経費を含む開発費用の勘定科目を開発テーマ毎に振り替える振替仕訳を作成することができる会計システム、情報処理方法、及びプログラムを提供することを目的とする。
【課題を解決するための手段】
【０００５】
上記目的を達成するため、本発明の一実施形態において、会計システムであって、開発テーマ毎に計上されているテーマ別経費と開発テーマ毎に計上されていない共通経費とを含む開発費を取得する開発費取得手段と、前記開発テーマ毎の工数を取得する工数取得手段と、前記開発テーマ毎の工数に基づき、前記共通経費を開発テーマ毎に算出する算出手段と、前記テーマ別経費の勘定科目と前記算出した開発テーマ毎の共通経費の勘定科目とを所定の勘定科目に振り替える振替仕訳を作成する振替仕訳作成手段と、を有する会計システムが提供される。
【発明の効果】
【０００６】
本発明の実施の形態によれば、共通経費を含む開発費用の勘定科目を開発テーマ毎に振り替える振替仕訳を作成することができる。
【図面の簡単な説明】
【０００７】
【図１】本実施形態に係る会計システムの一例の構成図である。
【図２】本実施形態に係るコンピュータシステムの一例の構成図である。
【図３】本実施形態に係る会計システムの一例の処理ブロック図である。
【図４】開発テーマ別資産計上区分情報の一例の構成図である。
【図５】開発工程の一例の説明図である。
【図６】開発テーマ別経費情報及び共通経費情報の一例の構成図である。
【図７】開発テーマ別工数情報の一例の構成図である。
【図８】開発テーマ別共通経費算出処理の一例のフローチャートである。
【図９】開発テーマ別共通経費情報の一例の構成図である。
【図１０】振替仕訳処理の一例のフローチャートである。
【図１１】振替仕訳情報の一例の構成図である。
【発明を実施するための形態】
【０００８】
以下、本発明の実施の形態について、図面を参照しながら詳細に説明する。
【０００９】
＜システム構成＞
図１は、本実施形態に係る会計システムの一例の構成図である。図１の会計システム１はＬＡＮなどのネットワークＮ１を介して接続された開発予算管理装置１０、開発費管理装置２０、工数管理装置３０を有する。
【００１０】
開発予算管理装置１０、開発費管理装置２０、工数管理装置３０は無線又は有線による通信手段を有している。
【００１１】
開発予算管理装置１０は一台以上の情報処理装置（コンピュータシステム）によって実現される。開発予算管理装置１０は、開発費管理装置２０及び工数管理装置３０からそれぞれ開発費及び工数を取得し、振替仕訳を作成する。また、開発予算管理装置１０は、作成した振替仕訳を開発費管理装置２０に送信する。
【００１２】
開発費管理装置２０は一台以上の情報処理装置（コンピュータシステム）によって実現される。開発費管理装置２０は、ユーザから開発費の入力を受け付ける。また、開発費管理装置２０は開発費を管理する。
【００１３】
工数管理装置３０は一台以上の情報処理装置（コンピュータシステム）によって実現される。工数管理装置３０は、工数を管理する。
【００１４】
なお、図１の会計システム１は一例であり、開発費管理装置２０及び／又は工数管理装置３０は開発予算管理装置１０に含まれる構成としてもよい。
【００１５】
＜ハードウェア構成＞
図１の開発予算管理装置１０、開発費管理装置２０、工数管理装置３０は、図２に示すハードウェア構成のコンピュータシステム等により実現される。図２は、本実施形態に係るコンピュータシステムの一例の構成図である。
【００１６】
図２に示したコンピュータシステム１１０は、入力装置１１１、表示装置１１２、外部Ｉ／Ｆ１１３、ＲＡＭ（Random Access Memory）１１４、ＲＯＭ（Read Only Memory）１１５、ＣＰＵ（Central Processing Unit）１１６、通信Ｉ／Ｆ１１７、及びＨＤＤ（Hard Disk Drive）１１８などを備え、それぞれがバスＢで相互に接続されている。なお、入力装置１１１及び表示装置１１２は必要なときに接続して利用する形態であってもよい。
【００１７】
入力装置１１１はキーボードやマウスなどを含み、ユーザが各操作信号を入力するのに用いられる。表示装置１１２はディスプレイなどを含み、コンピュータシステム１１０による処理結果を表示する。
【００１８】
通信Ｉ／Ｆ１１７はコンピュータシステム１１０をネットワークＮ１等に接続するインタフェースである。これにより、コンピュータシステム１１０は通信Ｉ／Ｆ１１７を介してデータ通信を行うことができる。
【００１９】
ＨＤＤ１１８はプログラムやデータを格納している不揮発性の記憶装置である。格納されるプログラムやデータには、例えばコンピュータシステム１１０全体を制御する基本ソフトウェアであるＯＳ（Operating System）や、ＯＳ上において各種機能を提供するアプリケーションソフトウェアなどがある。ＨＤＤ１１８は格納しているプログラムやデータを所定のファイルシステム及び／又はＤＢ（データベース）により管理している。
【００２０】
外部Ｉ／Ｆ１１３は、外部装置とのインタフェースである。外部装置には、記録媒体１０３ａなどがある。これにより、コンピュータシステム１１０は外部Ｉ／Ｆ１１３を介して記録媒体１１３ａの読み取り及び／又は書き込みを行うことができる。記録媒体１１３ａにはフレキシブルディスク、ＣＤ（Compact Disk）、ＤＶＤ（Digital Versatile Disk）、ＳＤメモリカード、ＵＳＢメモリ（Universal Serial Bus memory）などがある。
【００２１】
ＲＯＭ１１５は、電源を切ってもプログラムやデータを保持することができる不揮発性の半導体メモリ（記憶装置）である。ＲＯＭ１１５には、コンピュータシステム１１０の起動時に実行されるＢＩＯＳ（Basic Input/Output System）、ＯＳ設定、及びネットワーク設定などのプログラムやデータが格納されている。ＲＡＭ１１４は、プログラムやデータを一時保持する揮発性の半導体メモリ（記憶装置）である。
【００２２】
ＣＰＵ１１６は、ＲＯＭ１１５やＨＤＤ１１８などの記憶装置からプログラムやデータをＲＡＭ１１４上に読み出し、処理を実行することで、コンピュータシステム１１０全体の制御や機能を実現する演算装置である。
【００２３】
本実施形態に係る開発予算管理装置１０、開発費管理装置２０、工数管理装置３０は、上記したコンピュータシステム１１０のハードウェア構成により後述するような各種処理を実現できる。
【００２４】
＜ソフトウェア構成＞
本実施形態に係る会計システム１は、例えば図３に示す処理ブロックにより実現される。図３は、本実施形態に係る会計システムの一例の処理ブロック図である。
【００２５】
《開発予算管理装置１０》
開発予算管理装置１０は、開発費取得部１００、開発テーマ別共通経費算出部１０１、仕訳作成部１０２、資産計上区分更新部１０３を有する。これらの各部は、開発予算管理装置１０にインストールされた一以上のプログラムが、ＣＰＵ１１６に実行させる処理によって実現される。
【００２６】
また、開発予算管理装置１０は、開発テーマ別資産計上区分記憶部１０４を利用する。開発テーマ別資産計上区分記憶部１０４は、ＨＤＤ１１８、又は開発予算管理装置１０にネットワークを介して接続される記憶装置等を用いて実現可能である。
【００２７】
開発費取得部１００は、開発テーマ別資産計上区分記憶部１０４に基づき、開発費管理装置２０から開発費を取得する。開発費には開発テーマ別経費情報１０１０と共通経費情報１０２０が含まれる。開発テーマ別経費情報１０１０及び共通経費情報１０２０については後述する。
【００２８】
開発テーマ別共通経費算出部１０１は、共通経費情報１０２０に基づいて、開発テーマ別の共通経費を算出し、開発テーマ別共通経費情報１０５０を生成する。開発テーマ別共通経費情報１０５０については、後述する。開発テーマは、大テーマと中テーマを有する。大テーマとは例えば「製品Ａ」などの製品名である。中テーマとは例えば製品Ａの機種名である「製品Ａ１」、「製品Ａ２」などである。すなわち、中テーマは、同一の製品についての異なるバージョンの開発テーマを示す情報である。
【００２９】
仕訳作成部１０２は、開発テーマ別経費情報１０１０及び開発テーマ別共通経費情報１０５０から振替仕訳情報１０６０を作成する。振替仕訳とは、勘定科目を振り替えるための情報である。
【００３０】
資産計上区分更新部１０３は、後述するように開発テーマ別資産計上区分情報１０３０の資産計上区分を更新する。
【００３１】
開発テーマ別資産計上区分記憶部１０４は、開発テーマ別資産計上区分情報１０３０を記憶する。
【００３２】
《開発費管理装置２０》
開発費管理装置２０は、債務管理部２０１、固定資産管理部２０２を有する。これらの各部は、開発費管理装置２０にインストールされた一以上のプログラムが、ＣＰＵ１１６に実行させる処理によって実現される。
【００３３】
また、開発費管理装置２０は、総勘定元帳ＤＢ２０３を利用する。総勘定元帳ＤＢ２０３は、ＨＤＤ１１８、又は開発費管理装置２０にネットワークを介して接続される記憶装置等を用いて実現可能である。
【００３４】
債務管理部２０１は、ユーザが入力装置１１１等を介して入力した開発費に基づき、総勘定元帳ＤＢ２０３を更新する。
【００３５】
固定資産管理部２０２は、開発予算管理装置１０から受信した振替仕訳情報１０６０に基づき、総勘定元帳ＤＢ２０３を更新する。
【００３６】
総勘定元帳ＤＢ２０３は、勘定科目ごとに全ての取引を記憶した記憶部である。ユーザが入力装置１１１等を介して入力した開発費は、勘定科目「経費」として総勘定元帳ＤＢ２０３に記憶されている。
【００３７】
《工数管理装置３０》
工数管理装置３０は、開発テーマ別工数情報ＤＢ３０１を利用する。開発テーマ別工数情報ＤＢ３０１は、ＨＤＤ１１８、又は工数管理装置３０にネットワークを介して接続される記憶装置等を用いて実現可能である。
【００３８】
開発テーマ別工数情報ＤＢ３０１は、開発テーマ（中テーマ）別に開発に要した工数を記憶している。
【００３９】
《開発テーマ別資産計上区分情報》
図４は、開発テーマ別資産計上区分情報の一例の構成図である。開発テーマ別資産計上区分情報１０３０は、開発テーマ、資産計上区分などのデータ項目を有している。また、開発テーマは、上述した通り、大テーマと中テーマに分類される。以降、単に「開発テーマ」と記載した場合、開発テーマの「中テーマ」を指すものとする。
【００４０】
開発テーマ別資産計上区分情報１０３０は、開発テーマ別に資産計上区分が関連付けられている。資産計上区分とは、対応する開発テーマで発生した開発費を固定資産として計上するか否かの区分である。例えば開発テーマ「製品Ａ１」は、資産計上区分が「ＯＮ」なので開発テーマ「製品Ａ１」で発生した開発費は固定資産として計上する。一方、例えば開発テーマ「製品Ａ２」は、資産計上区分が「ＯＦＦ」なので開発テーマ「製品Ａ２」で発生した開発費は固定資産として計上しない。
【００４１】
図５は、開発工程の一例の説明図である。開発工程は、図５に示すように「企画工程」、「設計工程」、「量産工程」から構成される。開発テーマ毎に、「企画工程」、「設計工程」、「量産工程」の順に実施される。例えば、開発テーマ「製品Ａ１」では、製品Ａ１の企画や立案などを「企画工程」で行い、製品Ａ１の設計やテストなどを「設計工程」で行い、製品Ａ１の製造、量産などを「量産工程」を行う。
【００４２】
資産計上区分更新部１０３は、開発テーマの開発工程が設計工程になったときに、資産計上区分を「ＯＮ」にする。また、資産計上区分更新部１０３は、開発テーマの開発工程が量産工程になったときに、資産計上区分を「ＯＦＦ」にする。なお、企画工程においては、資産計上区分は「ＯＦＦ」であってよい。
【００４３】
これにより、後述するように、設計工程において発生した開発費を固定資産として計上することができる。
【００４４】
《開発テーマ別経費情報、共通経費情報》
図６は、開発テーマ別経費情報及び共通経費情報の一例の構成図である。開発テーマ別経費情報１０１０及び共通経費情報１０２０は、日付、開発テーマ、金額などのデータ項目を有している。開発テーマ別経費情報１０１０は、特定の開発テーマで発生した開発費に関する情報である。例えば開発テーマ「製品Ａ１」で発生した開発費（例えば原材料購入費）に関する情報である。共通経費情報１０２０は、特定の開発テーマに分類できない開発費や複数の開発テーマに共通に発生する開発費（例えば人件費や共通設備の減価償却費）に関する情報である。なお、開発テーマ別経費情報１０１０及び共通経費情報１０２０の例では、１０月の一ヶ月間に発生した経費を示している。
【００４５】
図６（ａ）では、例えば日付「１０／ｘｘ」に開発テーマ「製品Ａ１」おいて開発費として「１，０００，０００」が計上されていることを示している。
【００４６】
図６（ｂ）では、例えば日付「１０／ｘｘ」に開発テーマ「共通」おいて開発費として「８００，０００」が計上されていることを示している。なお、ここでは一例として開発テーマを「共通」としているが、ブランク（空白）などであってもよい。
【００４７】
《開発テーマ別工数情報》
図７は、開発テーマ別工数情報の一例の構成図である。開発テーマ別工数情報１０４０は、開発テーマ別に開発に要した工数に関する情報である。図７では、開発テーマ毎に一ヶ月間に発生した工数に関する情報を一例として示している。例えば開発テーマ「製品Ａ１」では１０月の一ヶ月間で「１０人月」の工数が発生したことを示している。
【００４８】
＜処理の詳細＞
次に、図３を参照しつつ本実施形態に係る会計システム１の処理の詳細について説明する。
【００４９】
まず、開発費取得部１００は、開発テーマ別資産計上区分情報１０３０を参照し、資産計上区分が「ＯＮ」になっている開発テーマに関する開発費（開発テーマ別経費情報１０１０）を開発費管理装置２０から取得する。また、開発費取得部１００は、開発テーマが「共通」の開発費（共通経費情報１０２０）を開発費管理装置２０から取得する。
【００５０】
≪開発テーマ別共通経費算出処理≫
まず、共通経費を開発テーマ毎に按分し、開発テーマ別共通経費情報１０５０を作成する処理について説明する。
【００５１】
図８は、開発テーマ別共通経費算出処理の一例のフローチャートである。
【００５２】
開発テーマ別共通経費算出部１０１は、共通経費情報１０２０及び開発テーマ別工数情報１０４０を取得する（ステップＳ１０）。次に、開発テーマ別共通経費算出部１０１は、共通経費の金額の合計を算出する（ステップＳ１１）。例えば共通経費情報１０２０の例では、共通経費の金額の合計は「１，２００，０００」である。
【００５３】
次に、開発テーマ別資産計上区分情報１０３０を参照し、資産計上区分が「ＯＮ」となっている開発テーマ毎に、以下の式で金額を算出する（ステップＳ１２）。
【００５４】
【数１】
2015103175.tif 000003
ここで、開発テーマ別工数の合計は、資産計上区分が「ＯＮ」となっている開発テーマの工数の合計である。すなわち、例えば資産計上区分が「ＯＮ」となっている「製品Ａ１」、「製品Ａ３」、「製品Ｂ１」の工数の合計（６０人月）である。
【００５５】
なお、上記計算式の代わりに資産計上区分が「ＯＮ」となっている開発テーマの数で共通経費の金額の合計を除算して開発テーマ毎の金額を算出してもよい。
【００５６】
ステップＳ１２で算出した開発テーマ別に算出した金額から開発テーマ別共通経費情報１０５０を生成する。
【００５７】
図９は、開発テーマ別共通経費情報の一例の構成図である。開発テーマ別共通経費情報１０５０は、日付、開発テーマ、金額などのデータ項目を有する。開発テーマ及び金額は、それぞれ、資産計上区分が「ＯＮ」である開発テーマ及びステップＳ１２においてこの開発テーマで算出した金額である。
【００５８】
以上により、特定の開発テーマに分類できない開発費や複数の開発テーマに共通に発生する開発費である共通経費を特定の開発テーマと関連付けることができる。また、共通経費の金額を上記ステップＳ１２で示した計算式で算出することにより、開発テーマで要した開発工数に応じて金額を按分することができる。
【００５９】
≪振替仕訳作成処理≫
次に、振替仕訳を作成する処理について説明する。
【００６０】
図１０は、振替仕訳処理の一例のフローチャートである。
【００６１】
仕訳作成部１０２は、開発テーマ別経費情報１０１０及び開発テーマ別共通経費情報１０５０を取得する（ステップＳ２０）。次に、仕訳作成部１０２は、ステップＳ２０で取得した開発テーマ別経費情報１０１０及び開発テーマ別共通経費情報１０５０に基づき、振替仕訳情報１０６０を作成する。
【００６２】
図１１は、振替仕訳情報の一例の構成図である。振替仕訳情報１０６０は、開発テーマ、借方科目、借方金額、貸方科目、貸方金額などのデータ項目を有する。例えば、振替仕訳情報１０６０の１行目のレコードは開発テーマ別経費情報１０１０の１行目のレコードに基づき作成されたものである。借方科目には「建設仮勘定」、借方科目には「経費」が設定されており、借方金額及び貸方金額は開発テーマ別経費情報１０１０の１行目のレコードと同様の金額「１，０００，０００」である。
【００６３】
次に、仕訳作成部１０２は、作成した振替仕訳情報１０６０を開発費管理装置２０に送信する（ステップＳ２２）。
【００６４】
以上により、勘定科目を振り替えるための振替仕訳情報１０６０を作成し、開発費管理装置２０に送信することができる。その後、開発費管理装置２０の固定資産管理部２０２は、受信した振替仕訳情報１０６０に基づき、総勘定元帳ＤＢ２０３を更新する。これにより、経費として計上されている開発費を開発テーマ毎に固定資産に勘定科目を振替えて計上することができる。
【００６５】
なお、以上では、一ヶ月間に計上した開発費について、開発テーマ毎に固定資産に勘定科目を振替えて計上したが、これに限られない。すなわち、任意の期間に計上した開発費について、開発テーマ毎に固定資産に勘定科目を振替えて計上してもよい。
【００６６】
＜まとめ＞
以上のように本実施形態に係る会計システム１は、設計工程で発生した開発費について、開発テーマに紐付かない共通経費を開発テーマ毎に按分することができる。これにより、手作業により共通経費を開発テーマ毎に按分する不便を解消することができる。
【００６７】
また、開発費について、開発テーマ毎に勘定科目を「経費」から「建設仮勘定」に振り替えるための振替仕訳情報を作成することで、開発費を開発テーマ毎に固定資産として計上することができる。これにより、手作業により勘定科目を振り替える不便を解消することができる。
【００６８】
なお、上記各実施の形態において、開発費取得部１００は、開発費取得手段及び判定手段の一例である。開発テーマ別共通経費算出部１０１は、工数取得手段及び算出手段の一例である。仕訳作成部１０２は、振替仕訳作成手段の一例である。
【００６９】
なお、本発明は、具体的に開示された上記の実施形態に限定されるものではなく、特許請求の範囲から逸脱することなく、種々の変形や変更が可能である。
【符号の説明】
【００７０】
１        会計システム
１０      開発予算管理装置
２０      開発費管理装置
３０      工数管理装置
１００    開発費取得部
１０１    開発テーマ別共通経費算出部
１０２    仕訳作成部
１０３    資産計上区分更新部
１０４    開発テーマ別資産計上区分記憶部
２０３    総勘定元帳ＤＢ
３０１    開発テーマ別工数情報ＤＢ
１０１０  開発テーマ別経費情報
１０２０  共通経費情報
１０３０  開発テーマ別資産計上区分情報
１０４０  開発テーマ別工数情報
１０５０  開発テーマ別共通経費情報
１０６０  振替仕訳情報
【先行技術文献】
【特許文献】
【００７１】
【特許文献１】特開２００５−９２５７７号公報
【特許文献２】特開２０１２−２３４３１３号公報
【特許文献３】特許第４１９８０１２号公報
【特許文献４】特許第４２８９９５０号公報
【図１】
2015103175.tif 000004
【図２】
2015103175.tif 000005
【図３】
2015103175.tif 000006
【図４】
2015103175.tif 000007
【図５】
2015103175.tif 000008
【図６】
2015103175.tif 000009
【図７】
2015103175.tif 000010
【図８】
2015103175.tif 000011
【図９】
2015103175.tif 000012
【図１０】
2015103175.tif 000013
【図１１】
2015103175.tif 000014